(57)【特許請求の範囲】
【請求項１】
磁気ギャップを有する磁気回路と、この磁気回路の上面に結合された細長形のフレームと、上記磁気ギャップにはめ込まれたボイスコイルと、このボイスコイルに内周が結合され外周が上記フレームに結合された振動板と、内周が上記ボイスコイルに結合され外周が上記フレームの長径方向のみ結合されると共に長径方向の一方が他方より中心からの距離が短く設定されたダンパーと、このダンパーの長径方向の短く設定された側から引出されたボイスコイルの錦糸線とで構成されたスピーカ。
【請求項２】
ダンパーが樹脂フィルムで形成された請求項１記載のスピーカ。
【発明の詳細な説明】
【０００１】
【発明の属する技術分野】
本発明は各種音響機器に使用される細長形のスピーカに関するものである。
【０００２】
【従来の技術】
近年、音響機器が小型化しているのに伴い、スピーカの取り付けスペースも狭くなり、スピーカの省スペース化が必要とされている。また、高品位ソースの普及により、高耐入力かつ広帯域なスピーカであることが必要不可欠となってきている。
【０００３】
このような従来のスピーカについて、図３，図４により説明する。
図３は従来の長径、短径を有するトラック形状をした細長形のスピーカの上面図であり、図４は同図３のＸ−Ｏ，Ｏ−Ｙ方向の断面図である。
【０００４】
同図によると、ヨーク１の中にマグネット２が設置されており、このマグネット２の上部にプレート３を設けて磁気ギャップ９を形成した磁気回路４を構成している。この磁気回路４の上部には楕円形、矩形、長円形のいずれかの形状に形成されたフレーム５を結合し、このフレーム５の外周に振動板６の円縁部を結合し、この振動板６の中心部にボイスコイル７が結合され、このボイスコイル７は上記磁気ギャップ９にはめ込まれ、このボイスコイル７の中間部に内周部を結合すると共に長径方向の外周部をフレーム５に結合し、短径方向の外周部はフレーム５との接着部分がなく、フレーム５の底面とすき間を生じた構造とし、楕円形、矩形、長円形のいずれかの形状に形成されたダンパー１０から構成されている。上記ダンパー１０の構成により、柔軟度が大きくなり横幅の狭いスピーカでも最低共振周波数の低下を図ることが可能となる。
【０００５】
なお、８はボイスコイル７と外部接続用端子１１間を橋絡する錦糸線であり、図３に明らかなようにダンパー１０の長径方向にボイスコイル７から引出されているものである。
【０００６】
また、上記ダンパー１０は綿等の布に熱硬化性樹脂を含浸させて形成されているものである。
【０００７】
【発明が解決しようとする課題】
しかしながら上記従来の構成では、錦糸線８の影響により、錦糸線８が引出された方向の振動系重量が反対方向の振動系重量より重くなっている。このため、最低共振周波数が低いスピーカでは、大入力を印加し、振幅が大きくなると、長径方向のローリングが発生し、ボイスコイル７がプレート３に当たり、異常音が発生するという課題を有していた。
【０００８】
本発明は以上のような従来の問題点を解決し、高耐入力かつ広帯域なスピーカを提供することを目的とするものである。
【０００９】
【課題を解決するための手段】
上記課題を解決するために本発明のスピーカは磁気ギャップを有する磁気回路と、この磁気回路の上面に結合された細長形のフレームと、上記磁気ギャップにはめ込まれたボイスコイルと、このボイスコイルに内周が結合され外周が上記フレームに結合された振動板と、内周が上記ボイスコイルに結合され外周が上記フレームの長径方向のみ結合されると共に長径方向の一方が他方より中心からの距離が短く設定されたダンパーと、このダンパーの長径方向の短く設定された側から引出されたボイスコイルの錦糸線とで構成したものであり、ダンパーの錦糸線の引出した側を短くして振動系の重量バランスを均衡させてスピーカへの大入力時の長径方向のローリングを抑制し、ボイスコイルのプレートとの接触を防止して異常音の発生を防止するものである。
【００１０】
【発明の実施の形態】
本発明の請求項１記載の発明は、磁気ギャップを有する磁気回路と、この磁気回路の上面に結合された細長形のフレームと、上記磁気ギャップにはめ込まれたボイスコイルと、このボイスコイルに内周が結合され外周が上記フレームに結合された振動板と、内周が上記ボイスコイルに結合され外周が上記フレームの長径方向のみ結合されると共に長径方向の一方が他方より中心からの距離が短く設定されたダンパーと、このダンパーの長径方向の短く設定された側から引出されたボイスコイルの錦糸線とで構成したものであり、ダンパーの錦糸線の引出した側を短くして振動系の重量バランスを均衡させてスピーカへの大入力時の長径方向のローリングを抑制し、ボイスコイルのプレートとの接触を防止して異常音の発生を防止するものである。
【００１１】
本発明の請求項２記載の発明は、請求項１のダンパーを樹脂フィルムで形成したものであり、長時間の高耐入力に対しても、目ずれが発生せず、長径方向のローリングを抑制し、ボイスコイルのプレートとの接触を防止して異常音の発生を防止するものである。
【００１２】
以下、本発明の一実施の形態のスピーカについて図１，図２より説明する。
なお、説明にあたっては従来技術と同一部分は同一番号を付与し、説明を省略して説明する。
【００１３】
図１はトラック形状の細長形のスピーカの長径方向の側断面図であり、図２は同要部であるダンパーの斜視図である。
【００１４】
同図により相違点のみ説明すると、１２はダンパーであり、ボイスコイル７の中間部に内周部を結合するとともに、長径方向のみフレーム５の底面との接着部１２ａとそれに連続する立上り部１２ｂが設けられ、短径方向はフレーム５の底面とは隙間を有し、接合点は設けられていない構成となっている。
【００１５】
また、このダンパー１２は長径方向において、ボイスコイル７の中心から両端までの距離が同じではなく、一方が他方より短く設定され、図１のように短く設定された側から錦糸線８をボイスコイル７から引出した時、この短く設定されたダンパー１２の一方と他方の振動系重量のバランスが均衡するようにしている。
【００１６】
このように、錦糸線８が引出された方向におけるダンパー１２の柔軟度より反対方向におけるダンパー１２の柔軟度が大きくなり、錦糸線８が引出された方向と反対方向との振動系重量の不均衡を補正し、最低共振周波数が低いスピーカにおいて、大入力を印加し振幅が大きくなっても、長径方向のローリングを防止することができるため、高耐入力かつ広帯域なスピーカを提供することが可能となるものである。
【００１７】
なお、更にダンパー１２の材質として樹脂フィルムを用いたものは、従来の綿等の布に熱硬化性樹脂を含浸させたものに比べて、目ずれが発生しないため、長時間の高耐入力にも最低共振周波数がほとんど低下せず、ダンパー１２がプレート３に当たったり、あるいはボイスコイル７の底がヨーク１に当たることによる異常音の発生が抑制され、より高性能のスピーカが提供できるものである。
【００１８】
【発明の効果】
以上のように本発明によるスピーカは、錦糸線が引出された方向におけるダンパーの柔軟度より反対方向におけるダンパーの柔軟度が大きくなり、錦糸線が引出された方向と反対方向との振動系重量の不均衡を補正し、最低共振周波数が低いスピーカにおいて、大入力を印加し振幅が大きくなっても、長径方向のローリングを防止することとなり、高耐入力かつ広帯域なスピーカを提供することが可能となるものである。
【図面の簡単な説明】
【図１】本発明のスピーカの一実施の形態の長径方向の側断面図
【図２】同要部であるダンパーの斜視図
【図３】従来例の細形のスピーカの上面図
【図４】同図３のＸ−Ｏ，Ｏ−Ｙ方向の断面図
【符号の説明】
４  磁気回路
５  フレーム
６  振動板
７  ボイスコイル
８  錦糸線
９  磁気ギャップ
１２  ダンパー
１２ａ  接着部
１２ｂ  立上り部
【図１】
0003747576.tif 000002
【図２】
0003747576.tif 000003
【図３】
0003747576.tif 000004
【図４】
0003747576.tif 000005